(57)【要約】【課題】移動局ＵＥについてのＸ２ハンドオーバ処理を行う際に、「Ｐａｔｈ  Ｓｗｉｔｃｈ」を不要とすることができるケースを規定して、移動管理ノードＭＭＥへの信号負荷を削減する。【解決手段】本発明に係る無線基地局ｅＮＢ＃１は、無線基地局ｅＮＢ＃１と同一の「Ｖｉｒｔｕａｌ  ｅＮＢ  ＩＤ＃１」を有する無線基地局ｅＮＢ＃２への移動局についてのＸ２ハンドオーバ処理を行う際に、「Ｐａｔｈ  Ｓｗｉｔｃｈ」を行わないように構成されているハンドオーバ処理部１４を具備する。【選択図】図５
2014068252.tif 000002
【特許請求の範囲】
【請求項１】
無線基地局であって、
前記無線基地局と同一の仮想無線基地局識別情報を有する無線基地局への移動局についてのＸ２ハンドオーバ処理を行う際に、パススイッチを行わないように構成されているハンドオーバ処理部を具備することを特徴とする無線基地局。
【請求項２】
判定部と、
前記無線基地局の周辺無線基地局に係る情報を含む隣接関係テーブルを管理するように構成されている管理部とを具備しており、
前記隣接関係テーブルは、前記周辺無線基地局に係る情報として、該周辺無線基地局の仮想無線基地局識別情報を含み、
前記判定部は、前記隣接関係テーブルを参照して、前記周辺無線基地局が前記無線基地局と同一の仮想無線基地局識別情報を有するか否かについて判定するように構成されていることを特徴とする請求項１に記載の無線基地局。
【請求項３】
前記無線基地局の周辺無線基地局から受信したコネクション設定要求信号或いはコネクション設定応答信号に含まれている仮想無線基地局識別情報を取得して、前記管理部に蓄積するように構成されている受信部を具備することを特徴とする請求項２に記載の無線基地局。
【請求項４】
前記無線基地局の周辺無線基地局に対して、該無線基地局の仮想無線基地局識別情報を含むコネクション設定要求信号或いはコネクション設定応答信号を送信するように構成されている送信部を具備することを特徴とする請求項１乃至３のいずれか一項に記載の無線基地局。
【発明の詳細な説明】
【技術分野】
【０００１】
本発明は、無線基地局に関する。
【背景技術】
【０００２】
ＬＴＥ（Ｌｏｎｇ  Ｔｅｒｍ  Ｅｖｏｌｕｔｉｏｎ）方式では、移動局ＵＥについてのＸ２ハンドオーバ処理が行われる際に、無線基地局ｅＮＢと移動管理ノードＭＭＥ（Ｍｏｂｉｌｉｔｙ  Ｍａｎａｇｅｍｅｎｔ  Ｅｎｔｉｔｙ）との間で「Ｐａｔｈ  Ｓｗｉｔｃｈ」が行われるように構成されている。
【先行技術文献】
【特許文献】
【０００３】
【特許文献１】特願２０１２-１２６１３８
【非特許文献】
【０００４】
【非特許文献１】３ＧＰＰ  ＴＳ３６.３００
【非特許文献２】３ＧＰＰ  ＴＳ３６.４１３
【非特許文献３】３ＧＰＰ  ＴＳ３６.４２３
【発明の概要】
【発明が解決しようとする課題】
【０００５】
移動管理ノードＭＭＥ（コアネットワーク）への信号負荷を削減するために、Ｘ２ハンドオーバ処理が行われる際に、上述の「Ｐａｔｈ  Ｓｗｉｔｃｈ」を行わず、ハンドオーバ処理を行う前の無線基地局ｅＮＢを経由して無線基地局ｅＮＢ間でユーザデータを転送するという運用がなされることが考えられる。
【０００６】
しかしながら、既存のＬＴＥ方式では、移動局ＵＥが、どの無線基地局ｅＮＢ配下のセルから、どの無線基地局ｅＮＢ配下のセルに対して、Ｘ２ハンドオーバ処理を行う場合に、上述のユーザデータの転送処理を適用し、「Ｐａｔｈ  Ｓｗｉｔｃｈ」を不要とすることができるかについて規定されていないという問題点があった。
【０００７】
そこで、本発明は、上述の課題に鑑みてなされたものであり、移動局についてのＸ２ハンドオーバ処理を行う際に、「Ｐａｔｈ  Ｓｗｉｔｃｈ」を不要とすることができるケースを規定して、移動管理ノードへの信号負荷を削減することができる無線基地局を提供することを目的とする。
【課題を解決するための手段】
【０００８】
本発明の第１の特徴は、無線基地局であって、前記無線基地局と同一の仮想無線基地局識別情報を有する無線基地局への移動局についてのＸ２ハンドオーバ処理を行う際に、パススイッチを行わないように構成されているハンドオーバ処理部を具備することを要旨とする。
【発明の効果】
【０００９】
以上説明したように、本発明によれば、移動局についてのＸ２ハンドオーバ処理を行う際に、「Ｐａｔｈ  Ｓｗｉｔｃｈ」を不要とすることができるケースを規定して、移動管理ノードへの信号負荷を削減することができる無線基地局を提供することができる。
【図面の簡単な説明】
【００１０】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局の管理部によって管理されるＮＲＴの一例を示す図である。
【図４】本発明の第１の実施形態に係る移動通信システムで用いられる「Ｘ２  ｓｅｔｕｐ  ｒｅｑｕｅｓｔ」のフォーマットの一例を示す図である。
【図５】本発明の第１の実施形態に係る移動通信システムで用いられる「Ｘ２  ｓｅｔｕｐ  ｒｅｓｐｏｎｓｅ」のフォーマットの一例を示す図である。
【図６】本発明の第１の実施形態に係る移動通信システムで用いられる「Ｘ２  ｓｅｔｕｐ  ｒｅｑｕｅｓｔ」及び「Ｘ２  ｓｅｔｕｐ  ｒｅｓｐｏｎｓｅ」に含まれる情報要素「Ｖｉｒｔｕａｌ  ｅＮＢ  ＩＤ」のフォーマットの一例を示す図である。
【図７】本発明の第１の実施形態に係る移動通信システムの動作を示すシーケンス図である。
【発明を実施するための形態】
【００１１】
（本発明の第１の実施形態に係る移動通信システム）
図１乃至図７を参照して、本発明の第１の実施形態に係る移動通信システムについて説明する。
【００１２】
図１に示すように、本実施形態に係る移動通信システムは、ＬＴＥ方式の移動通信システムであって、ゲートウェイ装置Ｓ-ＧＷ（Ｓｅｒｖｉｎｇ-Ｇａｔｅｗａｙ）と、移動管理ノードＭＭＥと、無線基地局ｅＮＢ＃１〜＃４とを具備している。
【００１３】
ここで、無線基地局ｅＮＢ＃１/ｅＮＢ＃２は、「Ｖｉｒｔｕａｌ  ｅＮＢ  ＩＤ＃１」を具備しており、無線基地局ｅＮＢ＃３/ｅＮＢ＃４は、「Ｖｉｒｔｕａｌ  ｅＮＢ  ＩＤ＃２」を具備しているものとする。
【００１４】
すなわち、無線基地局ｅＮＢ＃１/ｅＮＢ＃２は、同一のグループに属し、無線基地局ｅＮＢ＃３/ｅＮＢ＃４は、同一のグループに属しているものとする。
【００１５】
なお、同一のＶｉｒｔｕａｌ  ｅＮＢ  ＩＤ」を有する無線基地局ｅＮＢ配下のセル間におけるＸ２ハンドオーバ、すなわち、同一のグループに属している無線基地局ｅＮＢ配下のセル間におけるＸ２ハンドオーバ処理では、「Ｐａｔｈ  Ｓｗｉｔｃｈ」を不要とすることができるものとする。
【００１６】
図１の例では、移動局ＵＥが、無線基地局ｅＮＢ＃１配下のセル＃１と無線基地局ｅＮＢ＃２配下のセル＃２との間で、Ｘ２ハンドオーバ処理を行う際には、「Ｐａｔｈ  Ｓｗｉｔｃｈ」を行わないように構成されている。
【００１７】
同様に、移動局ＵＥが、無線基地局ｅＮＢ＃３配下のセル＃３と無線基地局ｅＮＢ＃４配下のセル＃４との間で、Ｘ２ハンドオーバ処理を行う際には、「Ｐａｔｈ  Ｓｗｉｔｃｈ」を行わないように構成されている。
【００１８】
一方、移動局ＵＥが、無線基地局ｅＮＢ＃１/２配下のセル＃１/＃２と無線基地局ｅＮＢ＃３/４配下のセル＃３/＃４との間で、Ｘ２ハンドオーバ処理を行う際には、「Ｐａｔｈ  Ｓｗｉｔｃｈ」を行うように構成されている。
【００１９】
無線基地局ｅＮＢ＃１〜＃２の構成は、基本的に同一であるため、以下、代表して、無線基地局ｅＮＢ＃１の構成について説明する。図２に示すように、無線基地局ｅＮＢ＃１は、受信部１１と、管理部１２と、送信部１３と、ハンドオーバ制御部１４と、判定部１５とを具備している。
【００２０】
受信部１１は、移動局ＵＥや周辺無線基地局ｅＮＢ＃２〜＃４や移動管理ノードＭＭＥやゲートウェイ装置Ｓ-ＧＷ等から各種信号を受信するように構成されている。
【００２１】
管理部１２は、無線基地局ｅＮＢ＃１の周辺無線基地局ｅＮＢ＃２〜＃４に係る情報を含む「ＮＲＴ（Ｎｅｉｇｈｂｏｒ  Ｒｅｌａｔｉｏｎ  Ｔａｂｌｅ）」を管理するように構成されている。
【００２２】
例えば、図３に示すように、ＮＲＴは、周辺無線基地局ｅＮＢに係る情報として、「Ｔａｒｇｅｔ  ＰＣＩ（Ｐｈｙｓｉｃａｌ  Ｃｅｌｌ  Ｉｄｅｎｔｉｆｅｒ）」や、「Ｔａｒｇｅｔ  ＥＣＧＩ（Ｅ-ＵＴＲＡＮ  Ｃｅｌｌ  Ｇｌｏｂａｌ  Ｉｄｅｎｔｉｆｉｅｒ）」や、「Ｎｏ  Ｒｅｍｏｖｅ」や、「Ｎｏ  ＨＯ」や、「Ｎｏ  Ｘ２」や、「Ｖｉｒｔｕａｌ  ｅＮＢ  ＩＤ」を含むように構成されている。
【００２３】
「Ｔａｒｇｅｔ  ＰＣＩ」は、該当する周辺無線基地局ｅＮＢ配下のセルのＰＣＩを示し、「Ｔａｒｇｅｔ  ＥＣＧＩ」は、該当する周辺無線基地局ｅＮＢ配下のセルのＥＣＧＩを示す。
【００２４】
「Ｎｏ  Ｒｅｍｏｖｅ」は、該当する周辺無線基地局ｅＮＢについてのエントリをＮＲＴから削除することができるか否かについて示すフラグである。「Ｎｏ  Ｒｅｍｏｖｅ」がチェックされている場合、無線基地局ｅＮＢ＃１は、該当する周辺無線基地局ｅＮＢについてのエントリをＮＲＴから削除することができないことを示す。
【００２５】
「Ｎｏ  ＨＯ」は、該当する周辺無線基地局ｅＮＢについてのエントリをハンドオーバ処理において用いられ得るか否かについて示すフラグである。「Ｎｏ  ＨＯ」がチェックされている場合、無線基地局ｅＮＢ＃１は、該当する周辺無線基地局ｅＮＢについてのエントリをハンドオーバ処理において用いることができないことを示す。
【００２６】
「Ｎｏ  Ｘ２」は、該当する周辺無線基地局ｅＮＢに対する手順を開始するためにＸ２インターフェイスを用いることができるか否かについて示すフラグである。「Ｎｏ  Ｘ２」がチェックされている場合、無線基地局ｅＮＢ＃１は、該当する周辺無線基地局ｅＮＢに対する手順を開始するためにＸ２インターフェイスを用いることができないことを示す。
【００２７】
「Ｖｉｒｔｕａｌ  ｅＮＢ  ＩＤ」は、該当する周辺無線基地局ｅＮＢの「Ｖｉｒｔｕａｌ  ｅＮＢ  ＩＤ」を示す。
【００２８】
受信部１１は、無線基地局ｅＮＢ＃１の周辺無線基地局ｅＮＢから受信した「Ｘ２  ｓｅｔｕｐ  ｒｅｑｕｅｓｔ（図４参照）」或いは「Ｘ２  ｓｅｔｕｐ  ｒｅｓｐｏｎｓｅ（図５参照）」に含まれている「Ｖｉｒｔｕａｌ  ｅＮＢ  ＩＤ（図６参照）」を取得して管理部１２に蓄積するように構成されていてもよい。
【００２９】
送信部１３は、移動局ＵＥや周辺無線基地局ｅＮＢ＃２〜＃４や移動管理ノードＭＭＥやゲートウェイ装置Ｓ-ＧＷ等に対して各種信号を送信するように構成されている。
【００３０】
例えば、送信部１３は、無線基地局ｅＮＢ＃１の周辺無線基地局ｅＮＢ＃２〜＃４に対して、無線基地局ｅＮＢ＃１の「Ｖｉｒｔｕａｌ  ｅＮＢ  ＩＤ＃１」を含む「Ｘ２  ｓｅｔｕｐ  ｒｅｑｕｅｓｔ」或いは「Ｘ２  ｓｅｔｕｐ  ｒｅｓｐｏｎｓｅ」を送信するように構成されている。
【００３１】
ハンドオーバ処理部１４は、移動局ＵＥについてのハンドオーバ処理（Ｘ２ハンドオーバ処理やＳ１ハンドオーバ処理等）を行うように構成されている。
【００３２】
例えば、ハンドオーバ処理部１４は、無線基地局ｅＮＢ＃１と同一の「Ｖｉｒｔｕａｌ  ｅＮＢ  ＩＤ＃１」を有する無線基地局ｅＮＢ＃２への移動局ＵＥについてのＸ２ハンドオーバ処理を行う際に、「Ｐａｔｈ  Ｓｗｉｔｃｈ」を行わないように構成されている。
【００３３】
判定部１５は、管理部１２によって管理されているＮＲＴを参照して、周辺無線基地局ｅＮＢ＃２〜＃４が無線基地局ｅＮＢ＃１と同一の「Ｖｉｒｔｕａｌ  ｅＮＢ  ＩＤ＃１」を有するか否かについて判定するように構成されている。
【００３４】
ここで、ハンドオーバ処理部１４は、判定部１５による判定結果に基づいて、上述のＸ２ハンドオーバ処理を行う際に、「Ｐａｔｈ  Ｓｗｉｔｃｈ」を行うか否かについて判定するように構成されている。
【００３５】
以下、図７を参照して、本実施形態に係る移動通信システムの動作について説明する。
【００３６】
図７に示すように、移動局ＵＥが、無線基地局ｅＮＢ＃１配下のセル＃１において「ＲＲＣ_Ｃｏｎｎｅｃｔｅｄ状態」である場合に、ステップ１において、無線基地局ｅＮＢ＃１が、移動局ＵＥに対して、「Ｍｅａｓｕｒｅｍｅｎｔ  Ｃｏｎｔｒｏｌ」を送信する。
【００３７】
かかる状態では、上りユーザデータ（ｐａｃｋｅｔ  ｄａｔａ）は、移動局ＵＥから無線基地局ｅＮＢ＃１を経由してゲートウェイ装置Ｓ-ＧＷに送信され、下りユーザデータ（ｐａｃｋｅｔ  ｄａｔａ）は、ゲートウェイ装置Ｓ-ＧＷから無線基地局ｅＮＢ＃１を経由して移動局ＵＥに送信されている。
【００３８】
ステップ２において、移動局ＵＥは、「Ｍｅａｓｕｒｅｍｅｎｔ  Ｃｏｎｔｒｏｌ」に応じて、「ＵＬ  ａｌｌｏｃａｔｉｏｎ」によって割り当てられた無線リソース（ＰＵＳＣＨ：Ｐｈｙｓｉｃａｌ  Ｕｐｌｉｎｋ  Ｓｈａｒｅｄ  Ｃｈａｎｎｅｌ）を用いて、無線基地局ｅＮＢ＃１に対して、「Ｍｅａｓｕｒｅｍｅｎｔ  Ｒｅｐｏｒｔ」を送信する。
【００３９】
ステップ３において、無線基地局ｅＮＢ＃１は、かかる「Ｍｅａｓｕｒｅｍｅｎｔ  Ｒｅｐｏｒｔ」に基づいて、無線基地局ｅＮＢ＃２配下のセルへの移動局ＵＥについてのＸ２ハンドオーバ処理を行うことを決定する。
【００４０】
ここで、無線基地局ｅＮＢ＃１は、管理部１２を参照して、無線基地局ｅＮＢ＃２が無線基地局ｅＮＢ＃１と同一の「Ｖｉｒｔｕａｌ  ｅＮＢ  ＩＤ＃１」を有すると判定する。
【００４１】
ステップ４において、無線基地局ｅＮＢ＃１は、無線基地局ｅＮＢ＃２に対して、かかるＸ２ハンドオーバ処理を行うことを要求する「Ｈａｎｄｏｖｅｒ  Ｒｅｑｕｅｓｔ」を送信する。
【００４２】
無線基地局ｅＮＢ＃２は、かかる「Ｈａｎｄｏｖｅｒ  Ｒｅｑｕｅｓｔ」に応じて、ステップ５において、「Ａｃｃｅｓｓ  Ｃｏｎｔｒｏｌ制御」を行い、ステップ６において、無線基地局ｅＮＢ＃１に対して、「Ｈａｎｄｏｖｅｒ  Ｒｅｑｕｅｓｔ  Ａｃｋ」を送信する。
【００４３】
無線基地局ｅＮＢ＃１は、移動局ＵＥに対して、「ＤＬ  ａｌｌｏｃａｔｉｏｎ」によって通知した無線リソースを用いて、「ｍｏｂｉｌｉｔｙＣｏｎｔｒｏｌｉｎｆｏｒｍａｔｉｏｎ」を含む「ＲＲＣ  Ｃｏｎｎｅｃｔｉｏｎ  Ｒｅｃｏｎｆｉｇｕｒａｔｉｏｎ」を送信する。
【００４４】
移動局ＵＥは、かかる「ｍｏｂｉｌｉｔｙＣｏｎｔｒｏｌｉｎｆｏｒｍａｔｉｏｎ」に応じて、下りユーザデータを取得するセルを、セル＃１からセル＃２に切り替える。
【００４５】
また、無線基地局ｅＮＢ＃１は、無線基地局ｅＮＢ＃２に対して、ステップ８において、「ＳＮ  Ｓｔａｔｕｓ  Ｔｒａｎｓｆｅｒ」を送信すると共に、バッファリングしている下りユーザデータを転送する。
【００４６】
ここで、無線基地局ｅＮＢ＃１は、「Ｐａｔｈ  Ｓｗｉｔｃｈ」を行わないため、この後、下りユーザデータは、ゲートウェイ装置Ｓ-ＧＷ→無線基地局ｅＮＢ＃１→無線基地局ｅＮＢ＃２→移動局ＵＥという経路で、ゲートウェイ装置Ｓ-ＧＷから移動局ＵＥに送信される。
【００４７】
ステップ９において、移動局ＵＥが、無線基地局ｅＮＢ＃２に対して、「Ｓｙｎｃｈｒｏｎｉｓａｔｉｏｎ」を送信し、ステップ１０において、無線基地局ｅＮＢ＃２は、移動局ＵＥに対して、「ＵＬ  ａｌｌｏｃａｔｉｏｎ」及び移動局ＵＥ用の「ＴＡ（Ｔｉｍｉｎｇ  Ａｄｖａｎｃｅ）コマンド」を送信し、ステップ１１において、移動局ＵＥは、無線基地局ｅＮＢ＃２に対して、「ＲＲＣ  Ｃｏｎｎｅｃｔｉｏｎ  Ｒｅｃｏｎｆｉｇｕｒａｔｉｏｎ」を送信する。
【００４８】
この後、上りユーザデータは、移動局ＵＥ→無線基地局ｅＮＢ＃２→無線基地局ｅＮＢ＃１→ゲートウェイ装置Ｓ-ＧＷという経路で、移動局ＵＥからゲートウェイ装置Ｓ-ＧＷに送信される。
【００４９】
以上に述べた本実施形態の特徴は、以下のように表現されていてもよい。
【００５０】
本実施形態の第１の特徴は、無線基地局ｅＮＢ＃１であって、無線基地局ｅＮＢ＃１と同一の「Ｖｉｒｔｕａｌ  ｅＮＢ  ＩＤ（仮想無線基地局識別情報）＃１」を有する無線基地局ｅＮＢ＃２への移動局ＵＥについてのＸ２ハンドオーバ処理を行う際に、「Ｐａｔｈ  Ｓｗｉｔｃｈ（パススイッチ）」を行わないように構成されているハンドオーバ処理部１４を具備することを要旨とする。
【００５１】
かかる構成によれば、同一の「Ｖｉｒｔｕａｌ  ｅＮＢ  ＩＤ」を有する無線基地局ｅＮＢ配下のセル間における移動局ＵＥのハンドオーバ処理が行われる場合には「Ｐａｔｈ  Ｓｗｉｔｃｈ」を行わないことによって、移動管理ノードＭＭＥへの信号負荷を削減することができる。
【００５２】
本実施形態の第１の特徴において、判定部１５と、無線基地局ｅＮＢ＃１の周辺無線基地局ｅＮＢ＃２〜＃４に係る情報を含む「ＮＲＴ（隣接関係テーブル）」を管理するように構成されている管理部１２とを具備しており、ＮＲＴは、周辺無線基地局ｅＮＢに係る情報として、周辺無線基地局ｅＮＢ＃２〜＃４の「Ｖｉｒｔｕａｌ  ｅＮＢ  ＩＤ」を含み、判定部１５は、ＮＲＴを参照して、周辺無線基地局ｅＮＢ＃２〜＃４が無線基地局ｅＮＢ＃１と同一の「Ｖｉｒｔｕａｌ  ｅＮＢ  ＩＤ＃１」を有するか否かについて判定するように構成されていてもよい。
【００５３】
かかる構成によれば、既存のＮＲＴにおける管理項目として「Ｖｉｒｔｕａｌ  ｅＮＢ  ＩＤ」を追加することによって、大幅な改修を行うこと無く、周辺無線基地局ｅＮＢ＃２〜＃４が無線基地局ｅＮＢ＃１と同一の「Ｖｉｒｔｕａｌ  ｅＮＢ  ＩＤ＃１」を有するか否かについて判定することができる。
【００５４】
本実施形態の第１の特徴において、無線基地局ｅＮＢ＃１の周辺無線基地局ｅＮＢ＃２〜＃４から受信した「Ｘ２  ｓｅｔｕｐ  ｒｅｑｕｅｓｔ（コネクション設定要求信号）」或いは「Ｘ２  ｓｅｔｕｐ  ｒｅｓｐｏｎｓｅ（コネクション設定応答信号）」に含まれている「Ｖｉｒｔｕａｌ  ｅＮＢ  ＩＤ」を取得して管理部１２に蓄積するように構成されている受信部１１を具備してもよい。
【００５５】
かかる構成によれば、既存の「Ｘ２  ｓｅｔｕｐ  ｒｅｑｕｅｓｔ」或いは「Ｘ２  ｓｅｔｕｐ  ｒｅｓｐｏｎｓｅ」を用いて、周辺無線基地局ｅＮＢ＃２〜＃４の「Ｖｉｒｔｕａｌ  ｅＮＢ  ＩＤ」を取得することができる。
【００５６】
本実施形態の第１の特徴において、無線基地局ｅＮＢ＃１の周辺無線基地局ｅＮＢ＃２〜＃４に対して、無線基地局ｅＮＢ＃１の「Ｖｉｒｔｕａｌ  ｅＮＢ  ＩＤ＃１」を含む「Ｘ２  ｓｅｔｕｐ  ｒｅｑｕｅｓｔ」或いは「Ｘ２  ｓｅｔｕｐ  ｒｅｓｐｏｎｓｅ」を送信するように構成されている送信部１３を具備してもよい。
【００５７】
かかる構成によれば、既存の「Ｘ２  ｓｅｔｕｐ  ｒｅｑｕｅｓｔ」或いは「Ｘ２  ｓｅｔｕｐ  ｒｅｓｐｏｎｓｅ」を用いて、周辺無線基地局ｅＮＢ＃２〜＃４に対して、無線基地局ｅＮＢ＃１の「Ｖｉｒｔｕａｌ  ｅＮＢ  ＩＤ」を通知することができる。
【００５８】
なお、上述の移動局ＵＥや無線基地局ｅＮＢや移動管理ノードＭＭＥやゲートウェイ装置Ｓ-ＧＷの動作は、ハードウェアによって実施されてもよいし、プロセッサによって実行されるソフトウェアモジュールによって実施されてもよいし、両者の組み合わせによって実施されてもよい。
【００５９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢや移動管理ノードＭＭＥやゲートウェイ装置Ｓ-ＧＷ内に設けられていてもよい。また、かかる記憶媒体及びプロセッサは、ディスクリートコンポーネントとして移動局ＵＥや無線基地局ｅＮＢや移動管理ノードＭＭＥやゲートウェイ装置Ｓ-ＧＷ内に設けられていてもよい。
【００６１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６２】
Ｓ-ＧＷ…ゲートウェイ装置
ＭＭＥ…移動管理ノード
ｅＮＢ＃１〜ｅＮＢ＃４…無線基地局
ＵＥ…移動局
１１…受信部
１２…管理部
１３…送信部
１４…ハンドオーバ処理部
１５…判定部
【図１】
2014068252.tif 000003
【図２】
2014068252.tif 000004
【図３】
2014068252.tif 000005
【図４】
2014068252.tif 000006
【図５】
2014068252.tif 000007
【図６】
2014068252.tif 000008
【図７】
2014068252.tif 000009